(57)【特許請求の範囲】
【請求項１】
軸線を囲むように円筒配置されたフィルターと、
前記フィルターを囲むように設けられた外筒部を有するケースと、
前記フィルターを前記軸線を中心に回転させる回転機構と、
前記フィルターの外周面と前記外筒部により形成されたフィルター外部領域に被処理水を流出する被処理水ノズルと、
前記フィルターの外周面に向けて洗浄水を流出する洗浄水ノズルと、
前記フィルターを透過した濾過水を前記フィルターの内部領域から前記ケースの外部へ導出する濾過水流路と、
前記フィルターを透過していない排出水を前記フィルター外部領域から前記ケースの外部へ排出する排出流路とを備え、
前記被処理水ノズルのノズル口は、前記ノズル口からの前記被処理水の流出方向の延長線上に前記フィルターの外周面が存在しない方向に向けて設けられ、
前記洗浄水ノズルのノズル口は、前記軸線の方向を長辺方向とする長形開口である、バラスト水の処理装置。
【請求項２】
前記被処理水ノズルのノズル口は、フィルターの軸線方向を向いている、請求項１に記載のバラスト水の処理装置。
【請求項３】
前記フィルター外部領域または前記排出流路から洗浄水を取り出す取水流路と、該洗浄水を前記洗浄水ノズルに供給する循環流路とをさらに備えた、請求項１または請求項２に記載のバラスト水の処理装置。
【請求項４】
前記洗浄水ノズルのノズル口は、前記洗浄水の流出方向が前記フィルターの円筒面と略直行する方向に設けられている、請求項１〜３のいずれか１項に記載のバラスト水の処理装置。
【請求項５】
前記フィルターは、円筒半径方向に折り曲げられたプリーツ形状を有するプリーツフィルターである、請求項１〜４のいずれか１項に記載のバラスト水の処理装置。
【請求項６】
前記フィルターを複数備え、該複数のフィルターは、軸線が一致するように配置されている、請求項１〜５のいずれか１項に記載のバラスト水の処理装置。
【請求項７】
請求項１〜６に記載のバラスト水の処理装置を用いてバラスト水の濾過を行う、バラスト水の処理方法。
【発明の詳細な説明】
【技術分野】
【０００１】
本発明は、オイルタンカー等の船舶に航行時の安定のために貯留されるバラスト水の処理システムに関するものであり、特に船上に搭載され海水からの微生物除去に用いられる船舶用バラスト水の処理装置に関するものである。
【背景技術】
【０００２】
近年、船舶に積載するバラスト水の処理が問題となっている。バラスト水は空荷状態でも安全に航行するために船舶に積載される海水である。バラスト水は出港時に付近の海域から取水し、入港時の積荷の積載時に海洋へ排水される。このようにバラスト水が取水した海域と異なる海域に排水されると、海水中の生物が本来の生息地でない海域に移動させられることとなり、海洋の生態系に大きな影響を及ぼすこととなる。
【０００３】
このため、バラスト水を浄化処理して微生物を除去あるいは死滅、不活性化する方法が種々検討されている。たとえば特許文献１には海水を加熱して水中生物を殺菌する方法が記載され、特許文献２には蒸気を用いる方法や紫外線照射による方法が開示され、その他、電圧印加や衝撃波などの電気的方法や、次亜塩素酸ソーダなどの薬剤を投入する方法等が提案されている。また、前記死滅処理の前段として、あるいは比較的大きな微生物の除去の目的で濾過を用いる方法も検討されており、たとえば特許文献３には濾過膜を用いたバラスト水の製造方法が記載されている。
【先行技術文献】
【特許文献】
【０００４】
【特許文献１】特許第３６６０９８４号公報
【特許文献２】特許第４２６１９５５号公報
【特許文献３】特開２００６−７２８号公報
【発明の概要】
【発明が解決しようとする課題】
【０００５】
従来のバラスト水処理はそれぞれに短所を有している。たとえば、加熱による方法では加熱のためのエネルギー確保が課題であり、また微生物の完全な死滅が難しい。電気的手段によるものでは、やはり微生物の完全な死滅が困難であり、多くの電力を要する。薬剤を用いる方法は、高濃度の薬剤を必要とし、その排水の中和等が課題となる。紫外線ランプを用いる方法は比較的有効に用いられるが、微生物の完全な死滅のために多数のランプを必要とし、設置コストの問題がある。濾過膜による方法は、非常に孔径の小さな膜が必要であり、濾過には時間がかかることや目詰まり除去のための洗浄が必要なことから、大量の海水を処理することは実用的ではない。
【０００６】
このようにバラスト水処理の手法は種々検討されているものの、決定的なものは未だ無く、さらなる機能向上が求められているところである。本発明の目的は、船舶から排出される、あるいは船舶に積み込まれるバラスト水から効率的に濁質や微生物を濾過することが可能で、船舶に搭載可能な船舶用バラスト水の処理装置を提供することにある。
【課題を解決するための手段】
【０００７】
本願発明者らは、船上に設置でき効率的にバラスト水の浄化処理が行えるバラスト水の処理装置として特に濾過方式による処理装置を開発する中で新たな課題に対応するため本願発明に至った。
【０００８】
本願発明の１の態様は、軸線を囲むように円筒配置されたフィルターと、前記フィルターを囲むように設けられた外筒部を有するケースと、前記フィルターを前記軸線を中心に回転させる回転機構と、前記フィルターの外周面と前記外筒部により形成されたフィルター外部領域に被処理水を流出する被処理水ノズルと、前記フィルターの外周面に向けて洗浄水を流出する洗浄水ノズルと、前記フィルターを透過した濾過水を前記フィルターの内部領域から前記ケースの外部へ導出する濾過水流路と、前記フィルターを透過していない排出水を前記フィルター外部領域から前記ケースの外部へ排出する排出流路とを備えたバラスト水の処理装置である。
【０００９】
発明者らは円筒配置されたフィルターの外周面に被処理水を噴出し、円筒内部から濾過水を取り出す方式の処理装置をバラスト水処理の新たな装置として検討している。かかる装置では被処理水の噴出をフィルター外周面に向けて行うことでフィルターの洗浄効果をも発揮しつつ濾過を行うことが特徴とされる。しかし、この構成において連続運転するためには、洗浄のために単位時間当たりに一定量以上の水量を常に被処理水ノズルからフィルター面に噴出すること必要とされる。このため、わずかな処理水量で良い場合などの運転調整を任意に行うことが困難であった。
【００１０】
本発明の態様では、被処理水を流し込むノズルには洗浄効果を持たせることなく、洗浄効果は別の洗浄水ノズルにより得る。このため、被処理水ノズルからは処理が求められるだけの水量を投入し、フィルター面の洗浄は洗浄水ノズルで行い続けることが可能となる。
【００１１】
なお、上記態様において、処理の対象となる海水は特に制限されないが、一般的に船舶が停泊する港湾域の海水には、微生物や濁質が含まれており、濁度が１〜１００度程度である。問題とされる海水中の微生物として大腸菌、コレラ菌、腸球菌、ミジンコやヒトデ、アジア昆布等の幼生等が挙げられ、これらの微生物の大きさはほとんどが０．３μｍから数μｍである。ここでのフィルターは、海水中からの濁質除去と共に微生物の除去を目的とするものである。フィルターとしては不織布やポリエステル製などの比較的丈夫なフィルターを用いることができる。除去対象である濁質にはシリカ等の無機質成分などが含まれており、その大きさは様々である。バラスト水としては１０μｍ以上の微生物や濁質を除去することが求められており、これらを効果的に除去できるフィルターであれば材質は特に制限されない。また、膜厚は厚くなるほど濾過流量の低下を招き、薄いと破れやすくなることから、材質にもよるが０．１ｍｍ以上１ｍｍ以下が好ましい。
【００１２】
回転機構は特に限定されないが、一般的な電気的なモータを用いることができる。その他、水流自身によって回転させることや他の駆動系からの力による回転機構であってもよい。処理流量の確保のため、回転数は２０ｒｐｍ以上１５０ｒｐｍ以下が好ましい。２０ｒｐｍ未満では少なくとも安定して求められる５ｔｏｎ／時間の処理を得ることが困難であり、一方で１５０ｒｐｍを超えると、回転の遠心力の影響に対抗して濾過するために被処理水を過大に大きな圧力で加える必要が生じる。たとえば２０ｔｏｎ／時間の処理量を得るために、より好ましくは３０ｒｐｍ以上８０ｒｐｍ以下である。
【００１３】
ここで、前記フィルター外部領域または前記排出流路から洗浄水を取り出す取水流路と、該洗浄水を前記洗浄水ノズルに供給する循環流路とをさらに備えると良い。
【００１４】
すなわち、洗浄水ノズルには一旦被処理水としてフィルターに供給され、濾過されなかった排出水を循環させて用いることができる。循環流路には循環させるためのポンプが備わっており、被処理水の処理量とは無関係に洗浄水ノズルから洗浄に必要な量の被処理水を洗浄水として噴出することができる。具体的な構成は濾過水量にかかわらず洗浄水として必要な水量を洗浄水ノズルに供給できる構成であれば良く、例えば循環流路にはさらに新たな被処理水等をも加えることも可能である。また、濾過されなかった排出水の一部を被処理水として利用可能となる位置に戻すための流路を別途備えて再度被処理水として利用すること自体は、クロスフローとも呼ばれる技術であり、かかるクロスフローのための流路から洗浄水を取り出すように取水流路を設けても良い。
【００１５】
前記被処理水ノズルのノズル口は、前記被処理水の流出方向が前記フィルターの外周面と交錯しない方向に設ければ良い。フィルターに向けて洗浄する効果を必要としないからである。フィルターに直接噴出しない任意の方向にノズル口を向けることで、流体抵抗の設計も自由度が増し、任意の被処理水水量で運転させるというシステム設計もさらに容易にできる。
【００１６】
前記洗浄水ノズルのノズル口は、前記洗浄水の流出方向が前記フィルターの円筒面と略直行する方向に設けられることが好ましい。洗浄効果を高めることができるからである。
【００１７】
前記フィルターは、円筒半径方向に折り曲げられたプリーツ形状を有するプリーツフィルターであることが好ましい。
【００１８】
フィルターの有効な濾過面積を広く確保することができるためである。バラスト水の処理装置は船上に搭載されることが多く、狭い設置場所で、例えば毎分数１０リットルから数１００リットルという多くの濾過を行うことが特徴であり、そのためには同じ設置面積に対して効率よくフィルターの濾過面積を大きく確保できる構造、装置の小型化が可能な構造が求められる。
【００１９】
プリーツ形状とは、円筒状に配置されたフィルター面に多数の折り目をつけて山と谷が繰り返す形状としたものをいう。プリーツ形状のプリーツ深さとプリーツ数は、面積増大のためには大きい程好ましいが、目詰まりの程度と洗浄の容易さに影響を与え、直径１００〜８００ｍｍ程度の円筒フィルターにおいては、プリーツ深さは３０ｍｍ以上１５０ｍｍ以下が好ましく、さらに５０ｍｍ以上がより好ましい、プリーツ数は１００以上５００以下が好ましい。プリーツ深さと数は多いほど面積が増加して好ましいが、プリーツが深くなると洗浄が難しくなり好ましくない。
【００２０】
前記洗浄水ノズルのノズル口は、前記軸線の方向を長辺方向とする長形開口であることが好ましい。
【００２１】
フィルターの軸線方向全体に亘って被処理水を流出することが可能となる。これによりフィルター全体を有効に活用することができ、かつ全体の洗浄も効率的に行われる。そのため長形開口の長辺長さはフィルターの軸線方向長さと略等しいとよい。フィルター全面に有効に作用するためである。正確に長さが一致する必要はなく、流出した被処理水がフィルター全面に到達する範囲で構成されていればよい。ここで、長形開口とは長辺と短辺を有する長細い開口を意味する。代表的には略長方形の矩形開口であり、短径側が円弧をなすトラック様の形状や楕円形状なども含まれる。
【００２２】
フィルターがプリーツ形状でノズル口が長形開口の場合、開口の短辺長さがプリーツフィルターのプリーツ間隔の３倍未満であることが好ましい。プリーツ間隔とは円筒外側に向かう山部の隣接する頂点の間隔長さをいい、各頂点間隔の平均値である。すなわち、プリーツが等間隔で製造されている場合において山部の円周長を山の数で割った値となる。ノズルの開口の幅がプリーツ間隔の３倍になると、水流によるフィルターの洗浄効果が十分に得られない。また、好ましくは開口の短辺長さはプリーツ間隔の１／２以上である。１／２未満まで細めると、相対的に被処理水の供給圧力が大きくなり、または同一圧力では供給水量が少なくなり、結果として大きなポンプを使用しなければならない、消費電力が増える等の不利益が生じるからである。さらに好ましくはプリーツ開口未満の場合よりもプリーツ開口以上の場合の方が、フィルターの洗浄効果が高い。特に長形開口の場合には効果的である。
【００２３】
前記フィルターを複数備え、該複数のフィルターは、軸線が一致するように配置されているとさらに良い。
【００２４】
船上への装置の設置には設置面積の制約が大きく、一般に地上におかれる水処理設備に対して設置面積の極小化が求められる。複数のフィルターを用いることにより濾過面積を多く確保することができる。円筒状の複数のフィルターを同軸に多段縦型配置することによって、同じ設置面積においてフィルターの有効濾過面積を段数分だけ多くすることができる。また、同軸配置された複数のフィルターを、回転機構として同じモータの回転軸に連結することで回転機構の数や設置場所をも節約することができ、装置全体の構成を簡単にしつつ大きな濾過面積の確保が可能とできる。
【００２５】
本発明はこのように、上述のバラスト水の処理装置を用いてバラスト水の濾過を行う、バラスト水の処理方法をも提供する。
【発明の効果】
【００２６】
以上の発明によれば、船舶から排出される、あるいは船舶に積み込まれるバラスト水から効率的に濁質や微生物を濾過することが可能で、船舶に搭載可能な船舶用バラスト水の処理装置を提供することができる。
【図面の簡単な説明】
【００２７】
【図１】本発明によるバラスト水の処理装置の構成を示すために装置の縦断面を模式的に示す図である。
【図２】図１のＡ−Ａ断面を示す図である。
【図３】本発明に用いられるプリーツフィルターの構造を示す図である。
【図４】本発明の別な態様であるバラスト水の処理装置の構成を示すために装置の縦断面を模式的に示す図である。
【図５】図４のＡ−Ａ断面を示す図である。
【図６】本発明のさらに別な態様であるバラスト水の処理装置の構成を示すために装置の縦断面を模式的に示す図である。
【図７】洗浄水ノズルのノズル口として矩形開口の構成例を示す図である。
【図８】フィルターのプリーツ形状と洗浄水ノズルとの寸法関係を説明する図である。
【発明を実施するための形態】
【００２８】
本発明にかかる船舶用バラスト水の処理装置の構成を図面を参照して説明する。なお、異なる図面において同一の符号を付した要素は、同一または相応する要素を示すものとする。本発明はこれらに限定されるものではなく、特許請求の範囲によって示され、特許請求の範囲と均等の意味および範囲内でのすべての変更が含まれることが意図される。
【００２９】
図１は、本発明による船舶用バラスト水の処理装置の一例を示す図であり、装置縦断面を模式的に示している。また、図２は図１におけるＡ−Ａ横断面を示す図である。円筒形状のフィルター１は回転中心となる軸線Ｃを囲むように配置されており、中心に配置された中心配管４（配管は回転しない）の周囲を自在に回転できるよう取り付けられている。図１ではフィルター１として円筒の半径方向に山谷を繰り返すように折り目が付けられたプリーツフィルターを示している。フィルターの上下面は水密に塞がれている。回転自在な取り付け構造は、同じく水密構造とする必要があるが、特に限定されることなく既知の構造が用いられる。フィルター全体を覆うようにケース３が設けられる。ケース３は外筒部３１、蓋部３２、底部３３で構成され、底部３３には排出流路８が設けられる。ケース３内に被処理水としての海水を導入するために、被処理水流路９と被処理水ノズル９０が設けられている。被処理水ノズル９０は、そのノズル口９１をケース３内に備えるように被処理水流路９から延設され、被処理水がノズル口から流出し、フィルター外部領域に流入するように構成されている。
【００３０】
被処理水の一部はフィルターによって濾過され、濾過水がフィルターの円筒内部に透過する。なお、図はケース内の構造をわかりやすくするために各部材を模式的に描いており、実際の寸法や細部構造は処理水量等の要求性能に応じて設計される。濾過されない被処理水および、ケース内に沈殿した濁質分は、ケース底部の排出流路８から順次排出される。このように濁質分や残った被処理水が連続的に常に排出されつつ濾過が進行される点もこの装置の特徴であり、バラスト水に求められる１０〜２０ｔｏｎ／時間、さらには１００ｔｏｎ／時間を超える処理量を確保するために有用である。なお、図では排出流路にバルブなどを記載していないが、保守用や流量調節用に必要な機器を設けることができる。一方、フィルター１により濾過された濾過水はフィルター内部にて中心配管４に設けられた取水穴を通して濾過水流路７に導かれ、ケース外部に流出される。
【００３１】
以上の動作において、フィルター１の外周面には濁質が付着し、長期間の運転のためにはフィルターの交換や洗浄が必要となる。ここで、本構成においては、被処理水ノズル９０ではノズル口９１が、被処理水の流出方向がフィルターの外周面と交錯しない方向となるように設けられているため、流入した被処理水がフィルター表面に直接勢いよく接することによる洗浄効果は期待しない。そこで、本構成では洗浄用ノズル２を別に設けている。洗浄用ノズル２は、ケース３の外筒部を貫通するように設けられ、そのノズル口２１をフィルター面に向けて取り付けている。図１を参照して説明する。ケース３の一部に設けられた取水配管６１から濾過されていない被処理水が取水され洗浄水とされる。洗浄水は、ポンプ６３により循環流路６２を介して洗浄水流路６へと供給される。配管途中には流量計６４が設けられ、ポンプ６３による流量の制御に利用されると良い。洗浄水流路６はケース外筒部３１を貫通して設けられる洗浄水ノズル２へとつながる。
【００３２】
図２は、図１のＡ−Ａ断面を説明する図である。図２を参照して、ケース外筒部３１の中にはプリーツフィルター１が納められ、その円筒中心には中心配管４がある。外筒部を貫通して洗浄水フィルターの外周面に向けて、洗浄用ノズル２が設けられている。本例では、ノズルは、洗浄水の流出方向がフィルターの円筒面と略直行する方向に設けられている。すなわち、ノズルの方向は円筒中心を向いている。ノズル口２１から洗浄水がフィルター１の外周面に向けて噴出される。洗浄水はフィルター外周面に勢いよく接することで、フィルターの洗浄が行われる。
【００３３】
以上の構成において、フィルターはモータ１００によって回転するように構成されている。すなわち、モータ１００の軸１０１はフィルター中心軸Ｃと同軸になるようにモータ１００が設けられており、フィルターを強制的に回転させる構成としている。モータにより回転させることで、フィルター面が順次洗浄水により洗浄されつつ、フィルター外周面全体で濾過を継続することができる。回転速度を任意に設定、変更できる点でもメリットがある。モータ１００はモータカバー１０２で覆われて収納され、駆動制御部（図示せず）からの電力により駆動される。モータの回転数は一定でも良いし、人為的に任意に定めることも可能であるが、濾過の状態に応じて制御するとより好ましい。濾過水の状態や流量などを検出する検出部設け、検出情報に応じて回転数を変化させるように制御を行うと良い。濾過水の検出部としては、具体的には、濾過水流量検出部、濾過水圧力検出部や、濁度検出部等が挙げられる。
【００３４】
図３は、本発明に好適に用いられるプリーツフィルターの代表的構成を説明する斜視模式図である。このフィルターは帯状の平面基材を山谷交互に折りたたむことで、いわゆるプリーツ形状とし、さらに円筒状につなぎ合わせて構成されたものである。図３において円筒状プリーツフィルター１０の円筒外側から濾過対象となる被処理水が供給され、フィルター１によって濾過された液が円筒内側から排出される。
【００３５】
フィルターの基材には多孔質樹脂シートが用いられる。材質として例えば、ポリエステル、ナイロン、ポリエチレン、ポリプロピレン、ポリウレタン、ポリテトラフルオロエチレン（ＰＴＦＥ）、ポリフッ化ビニリデン（ＰＶｄＦ）等からなる延伸多孔質体、相分離多孔体、不織布等の多孔質構造物が利用される。バラスト水処理では高流量処理を行うため、ポリエチレンテレフタレートなどのポリエステルからなる不織布が特に好適に用いられる。また、寸法例として、１００ｔｏｎ／時間の処理を行うバラスト水の処理装置に用いる例として、プリーツフィルターの外径は７００ｍｍ、軸方向長さ３２０ｍｍ、有効面積としての高さ２８０ｍｍ、プリーツ深さ７０ｍｍ、プリーツ数４２０折、が挙げられる。
【００３６】
次に図４は、本発明の別な構成例を説明する図、図５は図４のＡ−Ａ断面を示す図である。図１との違いは、被処理水ノズルの構成にある。図４および図５の構成において、被処理水ノズル９０は被処理水流路９から延設しており、ノズル口９１をケース３の内部に有する。本構成では、ノズル口９１はフィルターの円周方向に沿った方向を向いている。図１での被処理水ノズル口９１はフィルターの概ね軸方向を向いている点で異なる。これらのように、被処理水ノズルは洗浄水ノズルとは別に設けられており、被処理水ノズルからの被処理水の流出そのものにはフィルターの洗浄効果を期待していない。このため、被処理水ノズルを任意の方向に向けることが可能であり、その流量も任意に制御することが可能である。特に、被処理水ノズル９０のノズル口９１が、被処理水の流出方向がフィルターの外周面と交錯しない方向となるように設けられていることで、洗浄効果と被処理水の流量を全く別に扱うことができ、また被処理水の流出がフィルターの回転等に影響しないため、任意の運転制御を実現できる点で好ましい。
【００３７】
本発明の別な構成例を図６を用いて説明する。図６は、フィルターを複数備えており、複数のフィルターは、互いの軸線が一致するように配置されているように構成されたものである。例としてフィルターの数が２つの場合を示しており、ケースを共通としている。ケースを複数に分ける構成も可能である。
【００３８】
円筒形状のフィルター１ａとフィルター１ｂは回転中心となる共通の軸線（図示せず）を囲むように配置されており、それぞれの中心に配置された中心配管４ａおよび中心配管４ｂの周囲を自在に回転できるよう取り付けられている。図１と同じくフィルターとしてプリーツフィルターを例示している。フィルターの上下面は水密に塞がれている。回転自在な取り付け構造は、同じく水密構造とする必要があるが、特に限定されることなく既知の構造が用いられる。複数のフィルター全体を覆うようにケース３が設けられる。ケース３は外筒部３１、蓋部３２、底部３３で構成され、底部３３には排出流路８が設けられる。ケース３内に被処理水としての海水を導入するために、被処理水流路９と被処理水ノズル９０が設けられている。被処理水ノズル９０は、そのノズル口９１をケース３内に備えるように被処理水流路９から延設され、被処理水がノズル口から流出し、フィルター外部領域に流入するように構成されている。
【００３９】
被処理水の一部はフィルターによって濾過され、濾過水がフィルターの円筒内部に透過する。濾過されない被処理水および、ケース内に沈殿した濁質分は、ケース底部の排出流路８から順次排出される。なお、図では排出流路にバルブなどを記載していないが、保守用や流量調節用に必要な機器を設けることができる。一方、フィルター１により濾過された濾過水はフィルター内部にて中心配管４ａ、４ｂに設けられた取水穴を通して濾過水流路７ａ、７ｂに導かれ、ケース外部に流出される。
【００４０】
本構成においては、被処理水ノズル９０ではノズル口９１が、被処理水の流出方向がフィルターの外周面と交錯しない方向となるように設けられているため、流入した被処理水がフィルター表面に直接勢いよく接することによる洗浄効果は期待しない。本構成では洗浄用ノズル２ａ，２ｂを各フィルター１ａ，１ｂに対応して個別に設けている。洗浄用ノズル２ａ，２ｂは、ケース３の外筒部を貫通するように設けられ、そのノズル口をフィルター面に向けて取り付けている。ここで、ケース３の一部に設けられた取水配管６１から濾過されていない被処理水が取水され洗浄水とされる。洗浄水は、ポンプ６３により循環配管６２を介して洗浄水流路６へと供給される。配管途中には流量計６４が設けられ、ポンプ６３による流量の制御に利用されると良い。洗浄水流路６はケース外筒部３１を貫通して設けられる洗浄用ノズル２ａ，２ｂの各々へとつながる。洗浄水ノズルはそれぞれが、洗浄水の流出方向がフィルターの円筒面と略直行する方向に設けられており、ノズル口から洗浄水がフィルターの外周面に向けて噴出される。洗浄水がフィルター外周面に勢いよく接することで、フィルターの洗浄が行われる。
【００４１】
フィルター１ａ，１ｂは共にモータ１００によって回転するように構成されている。すなわち、モータ１００の軸１０１はフィルター中心軸と同軸に設けられており、モータの回転によってフィルターが回転させられる。モータにより回転させることで、フィルター面が順次洗浄水により洗浄されつつ、フィルター外周面全体で濾過を継続することができる。回転速度を任意に設定、変更できる点でもメリットがある。モータ１００はモータカバー１０２で覆われて収納され、駆動制御部（図示せず）からの電力により駆動される。
【００４２】
以上の例では、中心配管および濾過水流路はフィルター毎に個別に設けているが、共通の配管にすることも可能である。また、洗浄水流路６を個別に設けたり、洗浄水ノズルを一体として形成したりするバリエーションはいずれも本発明の範囲に含まれる。
【００４３】
以下、ノズル口を長形開口とした構成例を説明する。図７は、本発明による船舶用バラスト水の処理装置として洗浄水ノズルのノズル口が長形開口の構成例を示す図である。ノズル口が矩形開口、すなわち、開口部の短辺長さがａ、長辺長さがｂの略長方形を成している。長辺長さは特に限定されないが、プリーツフィルター全体に被処理水を効果的に供給するために、プリーツフィルターの軸方向長さと略等しい（±１０％以内）かそれ以上であることが好ましい。短辺長さについての好ましい態様を図８を参照して説明する。図８はプリーツフィルターとそれに対向して設けられたノズルの開口部の一部を切り出して模式的に示した図である。短辺長さはプリーツフィルターの山谷との関係において、山部の間隔ｐの３倍以下（ｐ＜３ａ）とすることが好ましく、より好ましくは２倍以下、さらに好ましくはｐ＜ａとする方がプリーツフィルターの洗浄効果がより高まる。今回、プリーツ間隔ｐ＝５ｍｍのフィルターに対して、被処理水ノズル開口の短辺長さａを変えて洗浄効果を確認したところ、ａ＝１５ｍｍでは洗浄が不十分であり、ａ＝８ｍｍでは非常に効果的に洗浄されており、ａ＝３ｍｍでは実用範囲で効果的な洗浄が得られるものの８ｍｍの場合よりは劣る結果であった。なお、開口が矩形ではなく、丸みを帯びた角部を有した形状や、全体が楕円のような形状の場合には、長辺長さはフィルター軸方向の最大長さとし、短辺長さは長辺に直角な方向の開口部最大幅とする。
【符号の説明】
【００４４】
１，１ａ，１ｂ  フィルター
２，２ａ，２ｂ  洗浄用ノズル
２１  ノズル口
３  ケース
３１  外筒部
３２  蓋部
３３  底部
４，４ａ、４ｂ  中心配管
６  洗浄水流路
６１  取水配管
６２  循環流路
６３  ポンプ
６４  流量計
７，７ａ、７ｂ  濾過水流路
８  排出流路
９  被処理水流路
９０  被処理水ノズル
９１  ノズル口
１００  モータ
１０１  軸
１０２  モータカバー
【図１】
0005866876.tif 000002
【図２】
0005866876.tif 000003
【図３】
0005866876.tif 000004
【図４】
0005866876.tif 000005
【図５】
0005866876.tif 000006
【図６】
0005866876.tif 000007
【図７】
0005866876.tif 000008
【図８】
0005866876.tif 000009